(57)【要約】      （修正有）【課題】利用者に応じてシート本体の側部の補助具を容易に変更できる収納式多目的シートを提供する。【解決手段】シート本体を横軸廻りに使用姿勢と収納姿勢とに姿勢変更可能に備えた収納式多目的シートであって、シート本体の側部に、複数種類の補助具７を交換可能に取り付けるための取り付け部６を備える。取り付け部はシート本体の支持枠１０から外側に突出し且つ先端側に取り付け孔１９を有する一対の取り付けブラケット１７を備えており、その取り付けブラケット１７間に補助具７を配置して取り付け孔１９に挿通された取り付けねじ１８により取り付けブラケット１７に着脱自在に取り付ける。【選択図】図６
0003190025.tif 000002
【実用新案登録請求の範囲】
【請求項１】
シート本体（５）を横軸（４）廻りに使用姿勢（Ａ）と収納姿勢（Ｂ）とに姿勢変更可能に備えた収納式多目的シートにおいて、前記シート本体（５）の側部に、複数種類の補助具（７）を交換可能に取り付けるための取り付け部（６）を備えたことを特徴とする収納式多目的シート。
【請求項２】
前記取り付け部（６）は前記シート本体（５）の支持枠（１０）から外側に突出し且つ先端側に取り付け孔（１９）を有する一対の取り付けブラケット（１７）を備え、該取り付けブラケット（１７）間に前記補助具（７）を配置して、該補助具（７）を前記取り付け孔（１９）に挿通された取り付けねじ（１８）により前記取り付けブラケット（１７）に着脱自在に取り付けたことを特徴とする請求項１に記載の収納式多目的シート。
【請求項３】
前記補助具（７）は前記シート本体（５）の上面よりも下側に配置された把手（８）であり、該把手（８）を前記取り付けブラケット（１７）間に着脱自在に固定したことを特徴とする請求項２に記載の収納式多目的シート。
【請求項４】
前記補助具（７）は前記シート本体（５）の両側で該シート本体（５）よりも上側に突出する安全ガード（９）であり、該安全ガード（９）は前記取り付けブラケット（１７）間に着脱自在に固定された支軸（２２）により回動可能であることを特徴とする請求項２に記載の収納式多目的シート。
【請求項５】
前記安全ガード（９）は前記支軸（２２）に回動自在に套嵌された筒体（２３）と、該筒体（２３）に固定されたガード部材（２４）とを備え、前記安全ガード（９）が前記シート本体（５）から上側に突出する突出姿勢（Ｃ）のときに前記取り付けブラケット（１７）側に係脱自在に係合して前記安全ガード（９）をロックするロック手段（２５）を備えたことを特徴とする請求項４に記載の収納式多目的シート。
【考案の詳細な説明】
【技術分野】
【０００１】
本考案は、公共施設のトイレ等に設置して使用される収納式多目的シートに関するものである。
【背景技術】
【０００２】
福祉施設、病院、駅その他の公共施設のトイレ等では、身体障害者、高齢者等の利用者の利便性を確保するために収納式多目的シートが設置されている（特許文献１）。
【０００３】
この収納式多目的シートは、壁面の近傍で床面上に配置された基台と、この基台に横軸廻りに枢支され且つ略水平に倒れた使用姿勢と壁面に沿って起立する収納姿勢とに姿勢変更可能に設けられたシート本体と、シート本体の両側に配置された把手兼用の安全ガード等の補助具とを備えている。
【０００４】
そして、通常はシート本体を壁面に沿って起立状に収納しておき、使用する際には、把手兼用の安全ガードの一部を把持してシート本体を使用姿勢に倒し、そのシート本体上でおむつの交換、衣類の着脱を行う等、所定の目的で夫々使用するようになっている。
【先行技術文献】
【特許文献】
【０００５】
【特許文献１】特開２００３−２５０８４０号公報
【考案の概要】
【考案が解決しようとする課題】
【０００６】
シート本体の両側の補助具として把手兼用の安全ガードを備えた多目的シートは、シート本体上で横臥状態の利用者が転がったような場合にも、利用者がシート本体上から転落する等の惧れがなく、要介護者でも安心して安全に利用できる利点がある。しかし、健常者が使用する場合には、安全ガードが邪魔になって利用し難くなるため、シート本体の両側の補助具として操作用の把手があれば十分である。
【０００７】
一方、公共施設でも、要介護者の非常に多い施設と、要介護者が少なく健常者が殆どである施設等のように、その施設の種類によって利用者に極端な偏りがある。
【０００８】
従って、利用者の極端な偏りを考慮して、前者施設には安全ガード付きの多目的シートを設置し、後者施設には安全ガードのない把手付きの多目的シートを設置することが望ましい。しかし、安全ガード付きの多目的シートと、把手付きの多目的シートとを別々に製作するとすれば、製作コストが大幅にアップするという問題がある。
【０００９】
本考案は、このような従来の問題点に鑑み、利用者に応じてシート本体の側部の補助具を容易に変更できる収納式多目的シートを提供することを目的とする。
【課題を解決するための手段】
【００１０】
本考案は、シート本体５を横軸４廻りに使用姿勢Ａと収納姿勢Ｂとに姿勢変更可能に備えた収納式多目的シートにおいて、前記シート本体５の側部に、複数種類の補助具７を交換可能に取り付けるための取り付け部６を備えたものである。
【００１１】
前記取り付け部６は前記シート本体５の支持枠１０から外側に突出し且つ先端側に取り付け孔１９を有する一対の取り付けブラケット１７を備え、該取り付けブラケット１７間に前記補助具７を配置して、該補助具７を前記取り付け孔１９に挿通された取り付けねじ１８により前記取り付けブラケット１７に着脱自在に取り付けてもよい。
【００１２】
また前記補助具７は前記シート本体５の上面よりも下側に配置された把手８であり、該把手８を前記取り付けブラケット１７間に着脱自在に固定してもよい。
【００１３】
更に前記補助具７は前記シート本体５の両側で該シート本体５よりも上側に突出する安全ガード９であり、該安全ガード９は前記取り付けブラケット１７間に着脱自在に固定された支軸２２により回動可能であってもよい。
【００１４】
また前記安全ガード９は前記支軸２２に回動自在に套嵌された筒体２３と、該筒体２３に固定されたガード部材２４とを備え、前記安全ガード９が前記シート本体５から上側に突出する突出姿勢Ｃのときに前記取り付けブラケット１７側に係脱自在に係合して前記安全ガード９をロックするロック手段２５を備えたものでもよい。
【考案の効果】
【００１５】
本考案によれば、利用者に応じてシート本体５の側部の補助具７を容易に変更でき、利用者に応じた補助具７を有する収納式多目的シートを容易且つ安価に製作できる利点がある。
【図面の簡単な説明】
【００１６】
【図１】本考案の第１の実施形態を例示する健常者用の収納式多目的シートの正面図図である。
【図２】同収納式多目的シートの側面図である。
【図３】同収納式多目的シートの平面図である。
【図４】同把手を含む要部の正面断面図である。
【図５】同把手を含む要部の一部破断側面図である。
【図６】同把手を含む要部の一部破断平面図である。
【図７】同要介護者用の収納式多目的シートの側面図である。
【図８】同安全ガードを含む要部の一部破断側面図である。
【図９】同安全ガードを含む要部の背面断面図である。
【図１０】同安全ガードを含む要部の一部破断平面図である。
【図１１】同安全ガードを含む要部の正面断面図である。
【図１２】本考案の第２の実施形態を例示する把手側の一部破断側面図である。
【図１３】同安全ガード側の一部破断側面図である。
【図１４】本考案の第３の実施形態を例示する把手側の一部破断側面図である。
【図１５】同把手側の一部破断平面図である。
【図１６】同把手側の正面断面図である。
【図１７】同組み立て方法を示す正面断面図である。
【考案を実施するための形態】
【００１７】
以下、本考案の各実施形態を図面に基づいて詳述する。
【００１８】
図１〜図１１は本考案の第１の実施形態を例示し、その図１〜図６は健常者用を、図７〜図１１は要介護者用を夫々示す。この収納式多目的シートＳは、図１〜図３、図７に示すように、壁面１の近傍で床面２上に配置された基台３と、この基台３に横軸廻りに枢支され且つ略水平に倒れた使用姿勢Ａと壁面１に沿って起立する収納姿勢Ｂとに姿勢変更可能に設けられたシート本体５と、シート本体５の両側の取り付け部６に交換可能に装着された補助具７とを備えている。
【００１９】
補助具７にはシート本体５を横軸４廻りに起伏させるための把手８と、シート本体５上に横臥した要介護者の落下を防止するための安全ガード９との二種類がある。そして、この収納式多目的シートＳは、図１〜図３に示すように、シート本体５の両側に把手８を取り付けることにより健常者用に、図７に示すように、シート本体５の両側に安全ガード９を取り付けることにより要介護者用に夫々変更可能である。
【００２０】
シート本体５は、図１〜図３に示すように、基台３に横軸４により枢支された支持枠１０と、この支持枠１０上に縦長状に設けられたシート部１１と、支持枠１０を下側から覆うカバー１２と、シート部１１上に設けられたシートベルト１３とを備えている。
【００２１】
支持枠１０にはシート本体５を略水平状に支持する支持脚１４が支軸１５により枢着されている。支持脚１４はシート本体５が収納姿勢Ｂのときにカバー１２に沿って折り畳まれ、使用姿勢Ａのときに下方に突出して床面２上に当接するように、シート本体５の横軸４廻りの起伏動作に連動して支軸１５廻りに回動するようになっている。
【００２２】
シート部１１の左右両側縁は略平行であり、支持枠１０の左右両側の枠部材１０ａは、シート部１１の左右両側縁よりも若干内側に配置されている。
【００２３】
取り付け部６は把手８用及び安全ガード９用に共通であって、シート本体５の前後方向の長さ、シート本体５の収納姿勢Ｂでの起立高さ等を考慮して、シート本体５の前後方向の中央よりも前側寄り等の適当位置に配置されている。
【００２４】
この取り付け部６は、図４〜図６、図８〜図１１に示すように、基部１７ａが枠部材１０ａの外側面に溶接等で固定され且つ外側へと斜め下方に突出する前後一対の取り付けブラケット１７を有し、その一対の取り付けブラケット１７間に把手８、安全ガード９を配置して、前後両側から取り付けねじ１８により着脱自在に取り付けるようになっている。一対の取り付けブラケット１７は前後に所定の間隔を置いて配置され、先端部には取り付けねじ１８の挿通用の取り付け孔１９が設けられている。なお、カバー１２には、取り付けブラケット１７に対応して切り欠き部１２ａが形成されている。
【００２５】
把手８は、図３〜図６に示すように略真直ぐな筒体２０により構成され、シート本体５の側方近傍でシート本体５の上下厚さの略中央に位置するようにシート本体５の上面よりも下側に配置されている。筒体２０は両端内周に固定された雌ねじ体２１を有し、一対の取り付けブラケット１７の先端部間に配置されており、各取り付け孔１９に挿通された取り付けねじ１８を雌ねじ体２１に螺合することにより着脱自在に固定されている。なお、把手８は取り付けブラケット１７に取り付けねじ１８により固定できればよく、その取り付け構造に限定されるものではない。
【００２６】
安全ガード９は、図８〜図１１に示すように、一対の取り付けブラケット１７間に配置され且つ取り付けねじ１８により固定された支軸２２と、一対の取り付けブラケット１７間で支軸２２に回動自在に套嵌された筒体２３と、前後両端で筒体２３に固定されたＵ字状のガード部材２４とを備えている。
【００２７】
この安全ガード９は、ガード部材２４がシート本体５より上側に突出する突出姿勢Ｃ（図７〜図１１参照）と、支軸２２から下側に垂下する垂下姿勢Ｄ（図７参照）との間で回動自在であり、突出姿勢Ｃではロック手段２５によりロック可能である。支軸２２は筒体からなり、その両端に固定された雌ねじ体２１とを有する。
【００２８】
ロック手段２５は一方の取り付けブラケット１７に形成されたロック孔２６と、ガード部材２４に設けられた保持筒２７と、この保持筒２７に摺動自在に挿入され且つ突出姿勢Ｃのときにロック孔２６に係脱自在に係合するロックピン２８と、ロックピン２８をロック孔２６側に付勢するバネ２９と、ロックピン２８を操作するつまみ部３０とを有する。バネ２９は保持筒２７内でロックピン２８に套嵌されている。
【００２９】
なお、枠部材１０ａにはロック手段２５と反対側の取り付けブラケット１７の近傍にストッパー３１が設けられている。このストッパー３１は、安全ガード９が支軸２２廻りに回動するときにその回動範囲を規制するためのものであって、ガード部材２４が当接するように、取り付けブラケット１７に取り付けねじ３２により着脱自在に取り付けられている。
【００３０】
このような構成の収納式多目的シートＳでは、シート本体５の取り付け部６に取り付ける補助具７の種類によって健常者用と要介護者用とに容易に変更することができ、施設利用者に応じて利便性の向上を図ることができる。しかも、シート本体５に補助的に設けられる補助具７として把手８と安全ガード９とを準備し、それらに共通の取り付け部６をシート本体５に予め設けておけばよいので、二種類の収納式多目的シートＳを別々に製作する場合に比較して製作コストを低減でき、利用者に応じた収納式多目的シートＳを容易且つ安価に製作できる利点がある。
【００３１】
健常者用の収納式多目的シートＳの場合には、図１〜図６に示すように、取り付け部６に把手８を取り付ける。この場合、一対の取り付けブラケット１７間に把手８を配置して、各取り付けブラケット１７の取り付け孔１９に挿入した取り付けねじ１８により把手８を固定すればよいので、容易に把手８を固定できる。
【００３２】
またシート本体５を収納姿勢Ｂと使用姿勢Ａとの間で横軸４廻りに起伏させる際には、この把手８を把持してシート本体５を回動させるため、シート本体５を容易に起伏させることができる。しかも、把手８はシート本体５の上面よりも下側でシート本体５の側方近傍にあるため、利用者がシート本体５に対して乗り降りするときにも、その把手８が邪魔になることはない。
【００３３】
要介護者用の収納式多目的シートＳの場合には、図７〜図１１に示すように、取り付け部６に安全ガード９を取り付ける。この場合、安全ガード９の筒体２３に支軸２２を挿入した状態で一対の取り付けブラケット１７間に配置して、各取り付けブラケット１７の取り付け孔１９に取り付けねじ１８を挿入して支軸２２を固定すればよいので、安全ガード９を容易に取り付けることができる。
【００３４】
安全ガード９は通常ロックピン２８がロック孔２６に係合して突出姿勢Ｃに固定された状態にある。そして、シート本体５を収納姿勢Ｂと使用姿勢Ａとの間で横軸４廻りに起伏させる際には、この安全ガード９の筒体２３又はガード部材２４を保持してシート本体５を回動させる。これによってシート本体５を容易に起伏させることができる。
【００３５】
利用者がシート本体５に乗り降りする場合には、シート本体５を使用姿勢Ａにした後、ロック手段２５を解除して安全ガード９を支軸２２の下側に垂下する垂下状態にし、その状態でシート本体５に対して乗り降りする。従って、安全ガード９が邪魔になることはない。
【００３６】
要介護者がシート本体５上に乗った状態では、安全ガード９を突出姿勢Ｃに戻してロック手段２５によりロックする。このようにしておけば、シート本体５の両側に安全ガード９があるため、シート本体５上からの利用者の落下等を未然に防止できる。
【００３７】
図１２、図１３は本考案の第２の実施形態を例示する。この実施形態では、シート本体５の左右両側の取り付け部６は、枠部材１０ａに固定された前後一対の取り付けブラケット１７と、この一対の取り付けブラケット１７の先端部間に取り付けねじ１８等で着脱自在に固定された取り付け軸３３とを備えている。
【００３８】
把手８は、図１２に示すように、取り付け軸３３に着脱自在に套嵌された金属製又は合成樹脂製の筒体２０により構成されている。また安全ガード９は、図１３に示すように筒体２３、ガード部材２４等を備え、その筒体２３が取り付け軸３３に着脱自在に套嵌されている。筒体２０は取り付け軸３３に固定状であり、また筒体２０，２３は略同径程度であることが望ましい。他の構成は第１の実施形態と同様である。
【００３９】
この実施形態のように一対の取り付けブラケット１７と、この取り付けブラケット１７間に着脱自在に固定された取り付け軸３３とにより取り付け部６を構成することも可能でる。この場合には、取り付け部６が取り付け軸３３を有するため、取り付け軸３３の外周に筒体２０を設けることによって把手８を構成でき、また取り付け軸３３で筒体２３を支持することにより安全ガード９を取り付けることができる。
【００４０】
図１４〜図１７は本考案の第３の実施形態を例示する。この実施形態では、図１４〜図１７に示すように、シート本体５の左右両側の取り付け部６は、支持枠１０の枠部材１０ａに溶接等で固定された前後一対の取り付け板３４を有する。
【００４１】
また把手８、安全ガード９等の補助具７は、取り付け板３４に取り付け可能な一対の支持ブラケット３５と、この支持ブラケット３５の先端部間に固定ねじ４２により着脱自在に固定された筒体２０とを有し、その支持ブラケット３５の基部３５ａ側が係合手段３６、取り付けねじ３７を介して取り付け板３４に着脱自在に取り付けられている。
【００４２】
なお、各取り付け板３４はカバー１２の切り欠き部１２ａに対応しており、その切り欠き部１２ａは取り付け板３４により内側から塞がれている。
【００４３】
係合手段３６は取り付け板３４の上部にプレス成形等により平面視コ字状に形成された被係合部３８と、支持ブラケット３５の基部３５ａの上部に形成され且つ被係合部３８に下側から係脱自在に係合する突起等の係合部３９とにより構成されている。取り付けねじ３７は支持ブラケット３５の基部３５ａの下部側に形成された取り付け孔４０に挿通され、取り付け板３４側のねじ孔４１に螺合されている。
【００４４】
なお、補助具７として把手８を例示しているが、安全ガード９の場合にも、支持ブラケット３５の基部３５ａを取り付け板３４に着脱自在に取り付けるようにすればよい。他の構成は第１の実施形態と同様である。
【００４５】
この実施形態では、把手８等の補助具７は図１７に示すようにユニット化された状態にあり、この把手８等を取り付ける場合には、先ず支持ブラケット３５の基部３５ａ側の係合部３９を取り付け板３４の被係合部３８に下側から挿入して係合させる。そして、次に支持ブラケット３５の基部３５ａを取り付け板３４に当接させて、その基部３５ａを取り付けねじ３７により取り付け板３４に固定すればよい。これによって第１の実施形態と同様な態様での使用が可能である。
【００４６】
またシート本体５側の取り付け部６は、枠部材１０ａに固定された取り付け板３４により構成されており、把手８等の補助具７を取り外した状態では、第１の実施形態の取り付けブラケット１７のように外側に突出する部材がないので、シート本体５の左右両側の内、何れか一方のみに補助具７、例えば把手８を設けることが可能である。
【００４７】
即ち、シート本体５の左右方向の一側に壁面１、その他の構造物等がある場合には、その反対側に把手８等の補助具７を取り付ければよい。従って、このような場合にも、シート本体５の支持枠１０から外側に大きく突出させる部材がないので、必要な側にのみ把手８等の補助具７を取り付けることができる。
【００４８】
以上、本考案の各実施形態について詳述したが、本考案は各実施形態に限定されるものではなく、本考案の趣旨を逸脱しない範囲で種々の変更が可能である。例えば各実施形態では、シート本体５は前後方向に長い縦長状に構成し、その壁面１に近い側を基台３に横軸４廻りに使用姿勢Ａと収納姿勢Ｂとに姿勢変更可能に枢支しているが、シート本体５を壁面１に沿って左右方向に長い横長状に構成し、その後端側を横軸４により枢支するようにしてもよい。
【００４９】
この場合には、シート本体５に対して前側から乗り降りするため、取り付け部６、安全ガード９等はシート本体５の前側にのみ設けてもよい。勿論、シート本体５の前後両側に安全ガード９を設けてもよい。把手８はシート本体５の前側で十分である。
【００５０】
取り付け部６を構成する一対の取り付けブラケット１７は、平面視コ字状に一体に構成してもよい。取り付けブラケット１７の先端の取り付け孔１９は、取り付けねじ１８の挿通孔の他、取り付けねじ１８の螺合用のねじ孔であってもよい。
【００５１】
補助具７は把手８、安全ガード９の二種類が一般的であるが、これら以外のものでもよい。また把手８、安全ガード９の形状、構造は適宜変更可能である。安全ガード９の一部の構成部材を利用して、健常者用の把手８を構成してもよい。
【００５２】
例えば、第１の実施形態において、その安全ガード９の支軸２２を筒体２３に対して挿脱自在にしておき、要介護者用の場合には通常通り支軸２２によって筒体２３を支持し、健常者用の場合には筒体２３から抜いた支軸２２を把手８として利用するようにしてもよい。
【００５３】
ロック手段２５は安全ガード９を突出姿勢Ｃでロックする他、垂下姿勢Ｄでロックするようにしてもよい。
【符号の説明】
【００５４】
４  横軸
５  シート本体
６  取り付け部
７  補助具
８  把手
９  安全ガード
１０  支持枠
１７  取り付けブラケット
１８  取り付けねじ
１９  取り付け孔
２２  支軸
２３  筒体
２４  ガード部材
２５  ロック手段
Ａ  使用姿勢
Ｂ  収納姿勢
Ｃ  突出姿勢
【図１】
0003190025.tif 000003
【図２】
0003190025.tif 000004
【図３】
0003190025.tif 000005
【図４】
0003190025.tif 000006
【図５】
0003190025.tif 000007
【図６】
0003190025.tif 000008
【図７】
0003190025.tif 000009
【図８】
0003190025.tif 000010
【図９】
0003190025.tif 000011
【図１０】
0003190025.tif 000012
【図１１】
0003190025.tif 000013
【図１２】
0003190025.tif 000014
【図１３】
0003190025.tif 000015
【図１４】
0003190025.tif 000016
【図１５】
0003190025.tif 000017
【図１６】
0003190025.tif 000018
【図１７】
0003190025.tif 000019